(57)【要約】      （修正有）【課題】騒音の原因となる原動機から小型電気モーターに変更し、散布装置自体も軽量・小型化して取り付け方法もフックタイプにすることによって、車両への脱着時間を短縮し、また車内で散布装置が操作できる簡易型凍結防止剤散布装置を提供する。【解決手段】車のシガライターから電源１２Ｖ又は２４Ｖを取り出し、ホッパー１２の下部に設けたプロペラ１８のついた電気モーター１７を回転させ、回転しているプロペラにホッパーに投入している凍結剤をあてて周囲に散布する。【選択図】図１
2006289331.tif 000002
【特許請求の範囲】
【請求項１】
車のシガーライターから１２／２４Ｖの電源を取り、プロペラのついた電気モーターを回転させ、その回転しているプロペラに凍結防止剤をあてて周囲に凍結防止剤を散布する簡易型凍結防止剤散布装置。
【請求項２】
動力部と散布装置を一体化し、散布装置自体も軽量、小型化した、また、車両への取り付け方法もフックタイプにすることによって、装置の脱着時間を短縮する請求項１記載の簡易型凍結防止剤散布装置。
【請求項３】
車内に持ち込めるコントローラーには、散布装置の状況が把握できるよう電源のスイッチ・表示灯（緑）・ホッパーの開閉スイッチ・バイブレーターのスイッチ・凍結防止剤を排出する出口付近に残量センサーを取り付け、薬剤が無くなると点灯する残量不足表示灯（赤）・作業時、後続車の追突事故防止用の回転灯スイッチを装備する。請求項１記載の簡易型凍結防止剤散布装置。
【請求項４】
凍結防止剤を補給する際にホッパーの開閉操作が出来るよう本体にも開閉スイッチを設けた。また、開口量を１／２に出来るスイッチも装備する請求項１記載の簡易型凍結防止剤散布装置。
【請求項５】
車のシガーライターは１２Ｖ、２４Ｖと有り、そのどちらかの電源でも作業が出来るように変圧器を設けスイッチで１２Ｖ，２４Ｖに切り替えが出きるようにした。もし、電圧切り替えスイッチ誤って電源を送った場合過電圧防止装置が働き電源が停止する、安全の為装備した。
請求項１記載の簡易型凍結防止剤散布装置
【発明の詳細な説明】
【技術分野】
【０００１】  本発明は、散布装置の静寂化と小型化及び遠隔操作を図った簡易型凍結防止剤散布装置関する。【０００２】  従来の凍結防止剤散布装置は、機械の形状も大きく、一度据え付けると取り外し困難であった。また、騒音も大きく作業する時間帯によっては近隣に迷惑がかかると思われる。しかも、装置が車両後部にあり車内にコントローラーが無い為、薬剤の残量が把握出来ないと思われます。      （特許文献１参照）【０００３】  以下、特許文献１により従来の散布装置について説明する。図１２において、運転キャビン５１の上部に原動機を載せ、運転キャビン５１の後部に荷台５２を有した車体５に配設され、ホッパ２０と、飛散装置３０とがフレーム１０に固定されることによって構成される。フレーム１０には、上部に塩化カルシウムＣの投入が可能な第二水平パイプ１４ａ１４ｂが形成され、ホッパ２０の側方には第二垂直パイプ１５ａ，１５ｂと第三垂直パイプ１６ａ，１６ｂとが両側に位置する乗降用スペースが形成されている。
【特許文献】  特開平１０−１１３５８３号  公報
【発明の開示】
【発明が解決しようとする課題】
【０００４】  以上に述べた従来の散布装置では、動力部と飛散装置部が分割しており、機器の設置に時間を要した。また、動力部の騒音が大きく、時間帯によっては近隣に影響をあたえるものであった。また、凍結防止剤散布作業中、ホッパに投入している薬剤も残量が把握できず、空撒きの状態も有り得る。【０００５】  本発明は、このような従来の構成が有していた問題を解決しようとするものであり騒音の原因となる原動機から小型電気モーターに変更し、散布装置自体も軽量・小型化して取り付け方法もフックタイプにすることによって、車両への脱着時間を短縮する。また車内で散布装置が操作出来るように、電源スイッチ・表示灯（緑）・ホッパーの開閉スイッチ・バイブレーターのスイッチ・残量不足表示灯（赤）・回転灯ＯＮ／ＯＦＦスイッチを有したコントローラーによって空撒きの防止及び装置の装置の把握出来る事を目的とするものである。また本体にもホッパー開閉スイッチ・半開スイッチを装備する。【０００６】  以上の課題を解決する為に、請求項１の発明は車のシガライターから１２／２４Ｖ電源を取り出し、プロペラのついた電気モーターを回転させ、回転しているプロペラに凍結剤をあてて周囲に凍結防止剤を散布する簡易型凍結防止剤散布装置。【０００７】  また、請求項２の発明は、動力部と散布装置を一体化にし、散布装置自体も軽量・小型化した。また、車両への取り付け方法をフックタイプにすることによって散布装置の脱着時間を短縮する簡易型凍結防止剤散布装置。【０００８】  また、請求項３の発明は、車内に持ち込めるコントローラーに散布装置の状況が把握出来るようコントローラーに、電源スイッチ・表示灯（緑）・ホッパー開閉スイッチ・バイブレータースイッチ・残量不足表示灯（赤）・回転灯スイッチを装備する。【０００９】  また、請求項４の発明は、凍結防止剤を補給する際にホッパーの開閉操作が出来るよう本体にも開閉スイッチを設けた。また、開口量１／２に出来るスイッチも装備する。【００１０】  また、請求項５の発明は車のシガライターには１２、２４Ｖの２種類の電圧が有る為そのどちらからの電源が取れるように変圧器を取付そのその切替スイッチ及び過電圧防止装置も装備する。
【発明の効果】
【００１１】  上述したように本発明の簡易型凍結防止剤散布装置は、シガライターから電源が得られ、プロペラの付いた電気モーターを回転させ薬剤を散布するので、使用者及び近隣の方へ騒音が抑えることができ、静音度の高い散布装置を提供できる。【００１２】  動力部が小型になり、動力部と散布装置が一体化でき、散布装置の取り付け方法もフックタイプを採用しているので、車両への取り付けが簡単で使用者には大幅な時間の短縮ができるものである。【００１３】  また、車内にコントローラーを持ち込む事によって、車内にいながらにして散布装置のホッパー開閉蓋の開閉が出来る。さらに、ホッパー内に残量センサーが取り付けてあるので、薬剤が無くなるとコントローラーに付いている残量不足表示灯（赤）が点灯する。したがって薬剤の空撒きを防止する事ができるものである。【００１４】  以下、本発明の実施形態を図１〜１１に基づいて説明する。【００１５】  図においては▲１▼は車両に搭載するためのスライドフックで、レール（Ａ）▲２▼内をスライドさせ、フックの幅を調整出来るようにしてありフック固定ボルト▲３▼でスライドフック▲１▼を固定する。また、スライドフレーム▲４▼はレール（Ｂ）▲５▼の取付穴▲６▼と貫通穴▲７▼によって散布装置の取り付け高さが調整できる。【００１６】  ホッパー▲１２▼の上部に取り付けてある回転灯▲２６▼は徐行運転による後続車の追突事故防止のために設置してある。また、ホッパー▲１２▼に凍結防止剤を投入する際、固まった薬剤をホッパー内に混入するのを防止するためネット▲２５▼を通し、塊をほぐすことができる。
ホッパー▲１２▼の薬剤排出部付近に取り付けてある残量センサー▲１９▼によって残量が少なくなると後に説明するコントローラーの残量不足表示灯（赤）▲３３▼が点灯するようになっている。また、バイブレーター▲２０▼は、薬剤がホッパー▲１２▼の排出口から円滑に排出出来るようになってある。【００１７】  ホッパー開閉蓋▲１３▼、開閉モーター▲１４▼、半開モーター▲１５▼は飛散防止板▲２１▼に取り付けてあり、スライドフック▲１▼、レール（Ａ）▲２▼、フック固定ボルト▲３▼スライドフレーム▲４▼、レール（Ｂ）▲５▼、ホッパー▲１２▼、電気モーター▲１７▼、プロペラ▲１８▼飛散防止板▲２１▼、ホッパー開閉スイッチ（Ａ）▲２３▼・半開スイッチ▲２４▼はフレーム▲１１▼、モーター取り付けフレーム▲２２▼に固定される事によって構成される。また、フレーム▲１１▼の外側に外板パネル▲８▼（右、左）・外板パネル▲９▼、飛散防止板、外板パネル▲１０▼を貼り付け、本体内部への水や薬剤の侵入を防止してある。【００１８】  電気モーター▲１７▼に取り付けてあるプロペラ▲１８▼は、電気モーター▲１７▼が作動する事によって回転する。回転したプロペラ▲１８▼にホッパー▲１２▼の排出口から排出された薬剤をプロペラ▲１８▼にあてて周囲に散布する。【００１９】  コントローラーは、車窓から車内に引込むため、作業終了後コントローラーを車外に出さなければ窓が密閉出来ないので、コントローラーが風雨にさらされて故障の原因になりかねないので、脱着可能なコントローラー接続プラグ▲２８▼を設けこの開口部を防水プレート▲２９▼で保護してある。【００２０】  飛散防止板・外板パネル▲１０▼、飛散防止板▲２１▼によって薬剤が上部や車両下部に飛び散らないようにしてある。【００２１】  コントローラー▲３０▼を図５、６、に基づいて説明する。【００２２】  コントローラー接続プラグ▲２８▼を接続し電源差し込みプラグ▲２７▼を車のシガライターに差込電源を供給する。車の電圧に合わせ電圧切替スイッチ▲３８▼を切替える。１２Ｖ車の場合は電圧切替スイッチ▲３８▼は１２Ｖ側、２４Ｖ車の場合は電圧切替スイッチ▲３８▼を２４Ｖ側へ入れ、変圧器▲３９▼で１２Ｖ変換される。電源スイッチ▲３１▼をＯＮにすると電気の流れ表示灯（緑）▲３２▼が点灯し電源が入ったことを示す。この時点では、薬剤は投入されていないので残量センサーに電気が流れ残量不足表示灯（赤）▲３３▼が点灯する。電気モータースイッチ▲３５▼を入れると電気モーター▲１７▼が回転する。バイブレータースイッチ▲３６▼を入れるとバイブレーター▲２０▼が振動する、回転灯スイッチ▲３７▼を入れると回転灯▲２６▼が点灯する、凍結防止剤を散布するには、電源スイッチ▲３１▼を入れ、ホッパー開閉スイッチ（Ｂ）▲３４▼を（開）側へ入れホッパー開閉蓋▲１３▼を閉める。ホッパー内に薬剤をネット▲２５▼を通して投入すると残量不足表示灯（赤）▲３３▼は消え、散布待機状態になる。電気モータースイッチ▲３５▼を入れ、電気モーター▲１７▼が回転し、バイブレータースイッチ▲３６▼を入れ、バイブレーター▲２０▼が振動したら、ホッパー開閉スイッチ（Ｂ）▲３４▼を（開）側へいれる。ホッパー下部より排出された薬剤が、電気モーター▲１７▼により回転したプロペラ▲１８▼に当り散布される、作業が進み薬剤が少なくなってくるとホッパー▲１２▼〔図１〜図２参照〕に取り付けある残量センサー▲１９▼が検知して、コントローラー内にある残量不足表示灯（赤）▲３３▼が点灯して作業者に知らせる。作業を終了するにはホッパー開閉スイッチ（Ｂ）▲３４▼を（閉）側へ入れホッパーに開閉蓋を閉め、電気モータースイッチ▲３５▼、バイブレータースイッチ▲３６▼、回転灯スイッチ▲３７▼を切り、電気モーター▲１７▼、バイブレーター▲２０▼、回転灯▲２６▼を停止させる。電源スイッチ▲３１▼を切ると表示灯（緑）▲３２▼が消灯し電源が切れたことを示す。【００２３】  以下ホッパー開閉蓋▲１３▼・開閉モーター▲１４▼を図７に基づいて説明する。【００２４】  コントローラー▲３０▼の電源スイッチ▲３１▼を入れホッパー開閉スイッチ（Ｂ）▲３４▼を（開）側に入れると、開閉モーター▲１４▼の支点▲ア▼が引き戻されロット▲イ▼を通し支点▲ウ▼も引き戻される。このとき軸▲エ▼を介して支点▲オ▼が押し出され同時にロット▲カ▼、支点▲キ▼も押され支点ボルト▲ク▼を軸にホッパー開閉蓋▲１３▼がスライドしホッパー排出口が開く。また、ホッパー開閉スイッチ（Ｂ）▲３４▼を〔閉〕側に入れると電気が逆に流れ開閉モーター▲１４▼は反転し▲ア▼〜▲キ▼の動作が逆転し支転ボルト▲ク▼を軸にホッパー開閉蓋が逆向きにスライドしホッパー排出口を閉める。ストッパー▲ス▼・▲セ▼、ホッパー開閉蓋▲１３▼がスライドしすぎないように取付てある。
また、本体に取り付けてあるホッパー開閉スイッチ（Ａ）▲２３▼も同様に機能する。【００２５】  以下半開モーター▲１５▼・半開用ストッパー▲１６▼を図７に基づいて説明する。【００２６】  本体に取り付けてある半開スイッチ▲２４▼を全開側に入れると半開モーター▲１５▼の支点▲シ▼が引き戻されロット▲サ▼を通じ支点▲コ▼も引き戻される。この時軸▲ケ▼を介して半開用ストッパー▲１６▼が回転しホッパー開閉蓋▲１３▼のすライドの制限を解除する。また、半開スイッチ▲２４▼を半開側に入れると半開モーター▲１５▼が逆転し支点▲シ▼・ロット▲サ▼・支点▲コ▼が押し出され半開用ストッパー▲１６▼が回転しホッパー開閉蓋のスライド量を半分に制限する。
【図面の簡単な説明】
【００２７】
【図１】本発明の実施形態を示す簡易型凍結防止剤散布装置の外板パネルを外した状態の正面図
【図２】同簡易型凍結防止剤散布装置の外板パネルを外した状態の側面図
【図３】同車両に取り付け作業状態を見た外観図
【図４】同簡易型凍結防止剤散布装置の立体図
【図５】コントローラー正面図
【図６】同コントローラー配線図
【図７】開閉モーター・半開モーターの仕組を示した平面図
【図８】本体内部から本体底部へ継がるロット部の断面図
【図９】従来の車載散布装置の取り付け状態を見た外観図
【符号の説明】
【００２８】▲１▼  スライドフック                  ▲２８▼  コントローラー接続プラグ
▲２▼  レールＡ                        ▲２９▼  防水プレート
▲３▼  フック固定ボルト                ▲３０▼  コントローラー
▲４▼  スライドフレーム                ▲３１▼  電源スイッチ
▲５▼  レールＢ                        ▲３２▼  表示灯（緑）
▲６▼  取付穴                          ▲３３▼  残量不足灯（赤）
▲７▼  貫通穴                          ▲３４▼  ホッパー開閉スイッチ（Ｂ）
▲８▼  外板パネル（左、右）            ▲３５▼  電気モータースイッチ
▲９▼  外板パネル                      ▲３６▼  バイブレータースイッチ
▲１０▼  飛散防止板・外板パネル        ▲３７▼  回転灯スイッチ
▲１１▼  フレーム                      ▲３８▼  電圧切替スイッチ
▲１２▼  ホッパー                      ▲３９▼  変圧器
▲１３▼  ホッパー開閉蓋                ▲４０▼  過電圧防止装置
▲１４▼  開閉モーター                  ▲ア▼  支点
▲１５▼  半開モーター                  ▲イ▼  ロット
▲１６▼  半開用ストッパー              ▲ウ▼  支点
▲１７▼  電気モーター                  ▲エ▼  軸
▲１８▼  プロペラ                      ▲オ▼  支点
▲１９▼  残量センサー                  ▲カ▼  ロット
▲２０▼  バイブレーター                ▲キ▼  支点
▲２１▼  飛散防止板（底部）            ▲ク▼  支点ボルト
▲２２▼  モーター取り付けフレーム      ▲ケ▼  軸
▲２３▼  ホッパー開閉スイッチ（Ａ）    ▲コ▼  支点
▲２４▼  半開スイッチ                  ▲サ▼  ロット
▲２５▼  ネット                        ▲シ▼  支点
▲２６▼  回転灯                        ▲ス▼  ストッパー
▲２７▼  電源差込プラグ                ▲セ▼  ストッパー
【図１】
2006289331.tif 000003
【図２】
2006289331.tif 000004
【図３】
2006289331.tif 000005
2006289331.tif 000006
【図４】
2006289331.tif 000007
【図５】
2006289331.tif 000008
【図６】
2006289331.tif 000009
2006289331.tif 000010
【図７】
2006289331.tif 000011
【図８】
2006289331.tif 000012
【図９】
2006289331.tif 000013
【手続補正書】
【提出日】平成17年11月30日(2005.11.30)
【手続補正１】
【補正対象書類名】図面
【補正対象項目名】全図
【補正方法】変更
【補正の内容】
【図１】
2006289331.tif 000014
【図２】
2006289331.tif 000015
【図３】
2006289331.tif 000016
【図４】
2006289331.tif 000017
【図５】
2006289331.tif 000018
【図６】
2006289331.tif 000019
【図７】
2006289331.tif 000020
【図８】
2006289331.tif 000021
【図９】
2006289331.tif 000022